【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
コンピュータに、
背面に配置されたコンテンツが表示される表示領域を含む第１コンテンツの背面に、表示サイズが表示画面よりも大きい第２コンテンツを配置して、前記第１コンテンツを表示する表示手順と、
利用者の操作に応じて、前記第１コンテンツの表示サイズと前記第２コンテンツの表示サイズとを同じ割合で段階的に縮小させることで、当該第２コンテンツのうち第１領域に前記第１コンテンツを重ねながら表示するとともに、前記第２コンテンツのうち前記第１領域以外の第２領域を表示させる変更手順と
を実行させるための情報表示プログラム。
【請求項２】
前記変更手順は、前記第１コンテンツの表示サイズを縮小した際に、前記第１コンテンツをスクロールさせるスクロール操作が行われた場合は、前記第１コンテンツをスクロールさせることで、前記第１領域のうち前記表示領域を介して表示される領域を変更する
ことを特徴とする請求項１に記載の情報表示プログラム。
【請求項３】
前記変更手順は、前記第２コンテンツの表示サイズを前記表示画面と同じサイズまで縮小させることを特徴とする請求項１または２に記載の情報表示プログラム。
【請求項４】
前記変更手順は、前記第１コンテンツの幅または長さを縮小させることを特徴とする請求項１〜３のうちいずれか１つに記載の情報表示プログラム。
【請求項５】
前記表示手順は、前記利用者が前記表示領域を選択した場合は、前記表示領域の位置に応じて、前記第２コンテンツを他の第２コンテンツに変更し、
前記変更手順は、前記利用者が前記表示領域を選択した場合は、前記第１コンテンツの表示サイズと、前記表示手順で変更した前記他の第２コンテンツの表示サイズとを縮小させる
ことを特徴とする請求項１〜４のうちいずれか１つに記載の情報表示プログラム。
【請求項６】
前記変更手順は、前記第１コンテンツの表示サイズを拡大させる場合は、前記第２コンテンツを表示する領域の広さを縮小するとともに、当該第２コンテンツの表示サイズを拡大させることを特徴とする請求項１〜５のうちいずれか１つに記載の情報表示プログラム。
【請求項７】
前記変更手順は、前記利用者が前記第１コンテンツを選択した場合、または、前記利用者が前記表示領域を選択した場合は、前記第１コンテンツの表示サイズを所定の広さまで拡大させることを特徴とする請求項６に記載の情報表示プログラム。
【請求項８】
前記変更手順は、前記第１コンテンツの幅を所定の幅まで拡大させる、または、前記第１コンテンツの長さを所定の長さまで拡大させることを特徴とする請求項６または７に記載の情報表示プログラム。
【請求項９】
前記変更手順は、前記第１コンテンツ内に配置された文字の大きさを変更せずに前記第１コンテンツの表示サイズを変更することを特徴とする請求項１〜８のうちいずれか１つに記載の情報表示プログラム。
【請求項１０】
前記変更手順は、前記第１コンテンツの表示サイズを変更する場合は、変更後の表示サイズに応じて、前記第１コンテンツ内に配置された情報の配置を変更することを特徴とする請求項１〜９のうちいずれか１つに記載の情報表示プログラム。
【請求項１１】
前記表示手順は、表示サイズが縮小された際に前記利用者により選択されると、所定のコンテンツに遷移可能な第２コンテンツを表示することを特徴とする請求項１〜１０のうちいずれか１つに記載の情報表示プログラム。
【請求項１２】
前記表示手順は、前記利用者が選択した位置に応じて異なるコンテンツに遷移可能な第２コンテンツを表示することを特徴とする請求項１１に記載の情報表示プログラム。
【請求項１３】
前記表示手順は、前記第１コンテンツの表示サイズを縮小した際に、所定の閾値以上、前記第１コンテンツをスクロールさせるスクロール操作が行われた場合は、前記第１コンテンツが表示される領域を前記表示画面の外側まで移動させ、前記表示画面全体に前記第２コンテンツを表示することを特徴とする請求項１〜１２のうちいずれか１つに記載の情報表示プログラム。
【請求項１４】
制御情報とともに、第１コンテンツと共に表示される第２コンテンツを端末装置に配信する配信部を備え、
前記制御情報は、
背面に配置されたコンテンツが表示される表示領域を含む第１コンテンツの背面に、表示サイズが表示画面よりも大きい第２コンテンツを配置して、前記第１コンテンツを表示する表示手順と、
利用者の操作に応じて、前記第１コンテンツの表示サイズと前記第２コンテンツの表示サイズとを同じ割合で段階的に縮小させることで、当該第２コンテンツのうち第１領域に前記第１コンテンツを重ねながら表示するとともに、前記第２コンテンツのうち前記第１領域以外の第２領域を表示させる変更手順と
を前記端末装置に実行させるための制御情報であることを特徴とする配信装置。
【請求項１５】
情報表示装置が実行する情報表示方法であって、
背面に配置されたコンテンツが表示される表示領域を含む第１コンテンツの背面に、表示サイズが表示画面よりも大きい第２コンテンツを配置して、前記第１コンテンツを表示する表示工程と、
利用者の操作に応じて、前記第１コンテンツの表示サイズと前記第２コンテンツの表示サイズとを同じ割合で段階的に縮小させることで、当該第２コンテンツのうち第１領域に前記第１コンテンツを重ねながら表示するとともに、前記第２コンテンツのうち前記第１領域以外の第２領域を表示させる変更工程と
を含むことを特徴とする情報表示方法。
【請求項１６】
背面に配置されたコンテンツが表示される表示領域を含む第１コンテンツの背面に、表示サイズが表示画面よりも大きい第２コンテンツを配置して、前記第１コンテンツを表示する表示部と、
利用者の操作に応じて、前記第１コンテンツの表示サイズと前記第２コンテンツの表示サイズとを同じ割合で段階的に縮小させることで、当該第２コンテンツのうち第１領域に前記第１コンテンツを重ねながら表示するとともに、前記第２コンテンツのうち前記第１領域以外の第２領域を表示させる変更部と
を有することを特徴とする情報表示装置。
【手続補正２】
【補正対象書類名】明細書
【補正対象項目名】発明の名称
【補正方法】変更
【補正の内容】
【発明の名称】情報表示プログラム、配信装置、情報表示方法および情報表示装置
【手続補正３】
【補正対象書類名】明細書
【補正対象項目名】０００１
【補正方法】変更
【補正の内容】
【０００１】
本発明は、情報表示プログラム、配信装置、情報表示方法および情報表示装置に関する。
【手続補正４】
【補正対象書類名】明細書
【補正対象項目名】０００６
【補正方法】変更
【補正の内容】
【０００６】
本願に係る情報表示プログラムは、コンピュータに、背面に配置されたコンテンツが表示される表示領域を含む第１コンテンツの背面に、表示サイズが表示画面よりも大きい第２コンテンツを配置して、前記第１コンテンツを表示する表示手順と、利用者の操作に応じて、前記第１コンテンツの表示サイズと前記第２コンテンツの表示サイズとを同じ割合で段階的に縮小させることで、当該第２コンテンツのうち第１領域に前記第１コンテンツを重ねながら表示するとともに、前記第２コンテンツのうち前記第１領域以外の第２領域を表示させる変更手順とを実行させることを特徴とする。
【手続補正５】
【補正対象書類名】明細書
【補正対象項目名】０００９
【補正方法】変更
【補正の内容】
【０００９】
以下に、本願に係る情報表示プログラム、配信装置、情報表示方法および情報表示装置を実施するための形態（以下、「実施形態」と呼ぶ）について図面を参照しつつ詳細に説明する。なお、この実施形態により本願に係る情報表示プログラム、配信装置、情報表示方法および情報表示装置が限定されるものではない。また、以下の各実施形態において同一の部位には同一の符号を付し、重複する説明は省略される。